(57)【要約】【課題】  本発明は、指針周辺部の表示板の浮き上がりを防止するリング部材の形状に工夫を凝らし、見栄えを良好とし得る計器装置を提供することを目的とする。【解決手段】  指針周辺部の表示板５の浮き上がりを防止するリング部材１０を用いた計器装置において、リング部材１０に設けられたフランジ部１０Ａの上端側外周角部に面取り部１０Ｂを施してなるため、指針３に設けられた指針キャップ１１の下端側外周面箇所（下端側外径エッジ部箇所）と隣接する箇所に位置したフランジ部１０Ａの上端側外周面箇所に設けた面取り部１０Ｂによって、リング部材１０に設けられたフランジ部１０Ｂの上端側外周面に角部が存在しなくたるために位置ずれが目立たなくなるものであり、計器装置の見栄えが良好となる。【選択図】  図１
2007271461.tif 000002
【特許請求の範囲】
【請求項１】
指針軸を有する計器本体と、前記指針軸の先端側に固着される回動中心領域となる指針本体とその指針本体を覆う指針キャップとを備える指針と、この指針の背後に所定距離を隔てて配置され前記指針に対応する部分に挿通孔部を有する表示板と、この表示板の背後に配置され前記表示板の挿通孔部の周縁部が載置される載置部と前記指針に対応する部分に指針軸側が貫通可能な貫通孔部とを有する計器ハウジングと、前記指針と前記表示板の間に位置して前記表示板の挿通孔部および前記計器ハウジングの貫通孔部に挿入され前記表示板の挿通孔部の周縁部にて係止されるフランジ部を有するリング部材とを備えた計器装置において、前記リング部材には前記計器ハウジングの貫通孔部に抜け止め係止される係合部と、前記リング部材に設けられたフランジ部の上端側外周角部に面取り部を施してなることを特徴とする計器装置。
【請求項２】
指針軸を有する計器本体と、回動中心領域に光導入部を有する透光性の指針本体と前記回動中心領域を覆う指針キャップとを備える指針と、この指針の背後に所定距離を隔てて配置され前記指針に対応する部分に挿通孔部を有する表示板と、この表示板の背後に配置され前記表示板の挿通孔部を通じて前記指針の光導入部に照明光を供給することにより前記指針を光輝させる光源と、前記指針と前記表示板の間に位置して前記表示板の挿通孔部に挿入され挿通孔部の周縁部にて係止されるフランジ部を有する遮光性のリング部材とを備えた計器装置において、前記リング部材に設けられた前記フランジ部の外形寸法は前記指針キャップの外形寸法と同径寸法あるいは若干径大寸法に形成されるとともに、そのフランジ部の上端側外周角部に面取り部を施してなることを特徴とする計器装置。
【請求項３】
指針軸を有する計器本体と、この計器本体が組み付けられる回路基板と、回動中心領域に光導入部を有する透光性の指針本体と前記回動中心領域を覆う指針キャップとを備える指針と、この指針の背後に所定距離を隔てて配置され前記指針に対応する部分に挿通孔部を有する表示板と、この表示板の背後に配置され前記表示板の挿通孔部を通じて前記指針の光導入部に照明光を供給することにより前記指針を光輝させる光源と、前記指針と前記表示板の間に位置して前記表示板の挿通孔部に挿入され挿通孔部の周縁部にて係止されるフランジ部を有する遮光性のリング部材とを備えた計器装置において、前記リング部材に設けられた前記フランジ部の外形寸法は前記指針キャップの外形寸法と同径寸法あるいは若干径大寸法に形成されるとともに、そのフランジ部の上端側外周角部に面取り部を施してなることを特徴とする計器装置。
【請求項４】
前記面取り部は、傾斜面からなることを特徴とする請求項１から請求項３のいずれか１項に記載の計器装置。
【請求項５】
前記面取り部は、円弧状壁面からなることを特徴とする請求項１から請求項３のいずれか１項に記載の計器装置。
【請求項６】
前記透光性の指針本体と前記光源との間に導光体を配設してなることを特徴とする請求項２または請求項３に記載の計器装置。
【請求項７】
前記透光性の指針本体と前記光源との間に導光体を配設するとともに、この導光体を前記回路基板に位置決め保持してなることを特徴とする請求項２または請求項３に記載の計器装置。
【請求項８】
前記リング部材には、前記導光体に対して抜け止め係止される係合部を設けてなることを特徴とする請求項７に記載の計器装置。
【請求項９】
前記リング部材には、前記指針キャップの内面側にて前記フランジ部の上方へと延びる筒状の遮光壁部を一体に設けてなることを特徴とする請求項２または請求項３に記載の計器装置。
【発明の詳細な説明】
【技術分野】
【０００１】
本発明は、指針を備えた例えば車両用の計器装置に関し、特に指針周辺部の表示板の浮き上がりを防止するリング部材を用いた計器装置に関するものである。
【背景技術】
【０００２】
従来、リング部材を用いた計器装置として、例えば特許文献１や特許文献２などにおいて提案されている。
【特許文献１】実公平３−５３１３４号公報
【特許文献２】特許第２９２７２１４号公報
【０００３】
また、自動車などの計器装置として、光源からの照射光線で表示板や指針を照明表示する指示計器、特に、照明表示の際に指針の指示状態を見やすくするために光源による照射光線によって指針を透過照明（発光照明）する発光指針タイプによる計器装置が知られている。
【０００４】
このような指針を照明表示する計器装置の一般的な構成としては、従来および本発明に適用される計器装置を示す図４と従来例による断面図からなる図８に示すように、計器本体１の指針軸２の先端側に固着され、指針軸２を中心に回転する指針３と、この指針３の背面側に位置し透過照明される目盛や数字や記号などからなる指標部４が施された表示板５と、この表示板５の背面側に位置する硬質の回路基板６と、この回路基板６上に設けられ、それぞれ指針３と表示板５とを照明する光源である発光ダイオード７，８と、指針３を照明するための発光ダイオード７と表示板５を透過照明するための発光ダイオード８との照明領域を区画する合成樹脂製の枠体からなる計器ハウジング９と、この計器ハウジング９に設けられた円筒形（筒状）の仕切壁９Ａと、によってそれぞれ照明する区域に区画して構成している。なお、回路基板６の背後には前記指針軸２を回動する計器本体１が取付固定されている。
【０００５】
また、指針３周辺部の表示板５の浮き上がりを防止する目的として、フランジ部１０Ａを設けた筒状からなるリング部材１０が指針３に対応する部分に設けられた表示板５の挿通孔部５Ａを介して挿入され、計器ハウジング９の仕切壁９Ａに係合保持されるように構成している。従って、表示板５は計器ハウジング９の仕切壁９Ａの上端面部分に載置された状態にてリング部材１０のフランジ部１０Ａによって表示板５の表面側が押さえられるため、表示板５が仕切壁９Ａ位置から浮き上がることなく保持されるように構成されている。
【０００６】
発光照明（透過照明）される指針３としては、指示部３Ａと指針軸２側に固定される回転中心領域となる指針本体３Ｂが透明な合成樹脂、例えばアクリル樹脂などによって一体に形成されており、指針本体３Ｂは遮光性の合成樹脂からなる指針キャップ１１で覆われている。指示部３Ａは発光ダイオード７の光を受けて発光するものである。
【０００７】
表示板５は透明な合成樹脂からなる平板状の基板からなり、前述したように表示板５には指針本体３Ａに対応する部分に挿通孔部５Ａが設けられている。また表示板５の表面（図中上側の面）には、目盛や数字あるいは記号などの指標部４箇所に例えば白色の半透過性表示層４Ａが形成され、その指標部４箇所を除いて表示板５の表面全体に遮光性の黒色の地色層（遮光層）４Ｂが施されている。
【０００８】
また指針発光用としての発光ダイオード７は円筒形の仕切壁９Ａの内側に位置し、指針軸２の近傍に指針軸２を中心として円形状に取り巻いて複数設けられ、この発光ダイオード７の照射光線を指針３側へと導くように構成している。また、表示板５の指標部４を透過照明する発光ダイオード８は円筒形の仕切壁９Ａの外側を円形状に取り巻いて複数設けられ、この発光ダイオード８からの照射光線を表示板５の指標部４側へと導くようにハウジング９と一体に形成されたライトケース９Ｂを介して反射導光して照明するように構成している。
【０００９】
このように構成することにより、従来の指示計器にあっては、表示板５の表面側において指標部４である文字，数字，目盛あるいは記号などが背面側から光源（発光ダイオード８）により透過照明されるものであり、あるいは図示しないが指標部である文字，数字，目盛，記号などと表示板の背景部分である表示板の全面を表示板の前面側に設けた光源によって直接的に照明したり、または間接光により表示板が透過照明されたり、これらの照明方式を組み合わせたものなど様々な照明手段を用いて表示板が照明表示される。また、他の照明手段として発光する指針３の指示状態を見やすくするために光源（発光ダイオード７）と指針３との間に導光体を介在して指針３が透過照明されたり、表示板５の指標部４と光源（発光ダイオード８）との間に導光体を介在することによって指標部４が透過照明される。
【００１０】
また、透過照明される指針３により指針の指示状態が良好に判別できて見やすいという効果に加えて前記リング部材１０のフランジ部１０Ａによって表示板５が仕切壁９Ａ位置から浮き上がることを抑制するとともに、リング部材１０を遮光性の樹脂材料によって形成することにより、リング部材１０のフランジ部１０Ａによって指針キャップ１１と表示板５との間から発生する光洩れを押さえることができるという効果がある。
【発明の開示】
【発明が解決しようとする課題】
【００１１】
ところで、特許文献１や特許文献２あるいは従来例からなる計器装置にあっては、表示板５の浮き上がりを押さえるために表示板５の挿通孔部５Ａに挿入され挿通孔部５Ａの周縁部にて係止されるフランジ部１０Ａの外径寸法は、挿通孔部５Ａの寸法より径大に形成する必要がある。このため、一般的にリング部材１０に設けられたフランジ部１０Ａの外形寸法は、指針３に設けられた指針本体３Ｂを覆う指針キャップ１１の外形寸法と同径寸法（指針キャップ１１の外形寸法に対しフランジ部１０Ａの外形寸法が幾分小さめの場合も含む）あるいは若干径大な寸法に設定されている。
【００１２】
従って、リング部材１０は、表示板５が仕切壁９Ａ位置から浮き上がることなく保持されるように計器ハウジング９側に設けられた筒状の仕切壁９Ａと同軸上に位置決めして固定保持するようにしている。これに対して計器本体１の指針軸２の先端側に固着される指針３は、計器本体１が回路基板６に組み付けられているため指針３とリング部材１０との位置関係は、計器ハウジング９や回路基板６のそれぞれの寸法のバラツキあるいはその組み付け精度などによって影響を受けてしまう。これにより指針３に設けられた指針キャップ１１とリング部材１０との位置関係（同軸度）のバラツキが発生することがある。
【００１３】
このため、計器装置の前面側から指示計器を見た場合、図５の拡大された断面図にて一点鎖線で示しているように、指針キャップ１１とリング部材１０との位置関係において、指針キャップ１１の外径位置に対してリング部材１０の外径位置とのセンターがずれてしまい、特に指針キャップ１１の下端側外周面箇所（外径箇所）と隣接する箇所に位置したリング部材１０に設けられたフランジ部１０Ａの上端側外周面角部（エッジ部）とのズレが目立ってしまうという問題がある。この際、前述したように指針キャップ１１の外形寸法に対しフランジ部１０Ａの外形寸法が幾分小さめに設定したとしても、部品寸法のバラツキあるいはその組み付け精度などによって計器装置の前面側から指示計器を覗き込んだ場合、指針キャップ１１の下端側エッジ部分とリング部材１０のフランジ部１０Ａの上端側エッジ部分とが見えることがあり、この結果、前述した位置ズレが目立ってしまうという問題がある。
【００１４】
そこで本発明は、前述の課題に対して対処するため、指針周辺部の表示板の浮き上がりを防止するリング部材の形状に工夫を凝らすことにより、見栄えを良好とし得る計器装置を提供することを目的とする。
【課題を解決するための手段】
【００１５】
本発明は、前述した課題を解決するため、請求項１では、指針軸を有する計器本体と、前記指針軸の先端側に固着される回動中心領域となる指針本体とその指針本体を覆う指針キャップとを備える指針と、この指針の背後に所定距離を隔てて配置され前記指針に対応する部分に挿通孔部を有する表示板と、この表示板の背後に配置され前記表示板の挿通孔部の周縁部が載置される載置部と前記指針に対応する部分に指針軸側が貫通可能な貫通孔部とを有する計器ハウジングと、前記指針と前記表示板の間に位置して前記表示板の挿通孔部および前記計器ハウジングの貫通孔部に挿入され前記表示板の挿通孔部の周縁部にて係止されるフランジ部を有するリング部材とを備えた計器装置において、前記リング部材には前記計器ハウジングの貫通孔部に抜け止め係止される係合部と、前記リング部材に設けられたフランジ部の上端側外周角部に面取り部を施してなることを特徴とする計器装置である。
【００１６】
また請求項２では、指針軸を有する計器本体と、回動中心領域に光導入部を有する透光性の指針本体と前記回動中心領域を覆う指針キャップとを備える指針と、この指針の背後に所定距離を隔てて配置され前記指針に対応する部分に挿通孔部を有する表示板と、この表示板の背後に配置され前記表示板の挿通孔部を通じて前記指針の光導入部に照明光を供給することにより前記指針を光輝させる光源と、前記指針と前記表示板の間に位置して前記表示板の挿通孔部に挿入され挿通孔部の周縁部にて係止されるフランジ部を有する遮光性のリング部材とを備えた計器装置において、前記リング部材に設けられた前記フランジ部の外形寸法は前記指針キャップの外形寸法と同径寸法あるいは若干径大寸法に形成されるとともに、そのフランジ部の上端側外周角部に面取り部を施してなることを特徴とする計器装置である。
【００１７】
また請求項３では、指針軸を有する計器本体と、この計器本体が組み付けられる回路基板と、回動中心領域に光導入部を有する透光性の指針本体と前記回動中心領域を覆う指針キャップとを備える指針と、この指針の背後に所定距離を隔てて配置され前記指針に対応する部分に挿通孔部を有する表示板と、この表示板の背後に配置され前記表示板の挿通孔部を通じて前記指針の光導入部に照明光を供給することにより前記指針を光輝させる光源と、前記指針と前記表示板の間に位置して前記表示板の挿通孔部に挿入され挿通孔部の周縁部にて係止されるフランジ部を有する遮光性のリング部材とを備えた計器装置において、前記リング部材に設けられた前記フランジ部の外形寸法は前記指針キャップの外形寸法と同径寸法あるいは若干径大寸法に形成されるとともに、そのフランジ部の上端側外周角部に面取り部を施してなることを特徴とする計器装置である。
【００１８】
また請求項４では、請求項１から請求項３のいずれか１項に記載の計器装置において、前記面取り部は、傾斜面からなることを特徴とするものである。
【００１９】
また請求項５では、請求項１から請求項３のいずれか１項に記載の計器装置において、前記面取り部は、円弧状壁面からなることを特徴とするものである。
【００２０】
また請求項６では、請求項２または請求項３に記載の計器装置において、前記透光性の指針本体と前記光源との間に導光体を配設してなることを特徴とするものである。
【００２１】
また請求項７では、請求項２または請求項３に記載の計器装置において、前記透光性の指針本体と前記光源との間に導光体を配設するとともに、この導光体を前記回路基板に位置決め保持してなることを特徴とするものである。
【００２２】
また請求項８では、請求項７に記載の計器装置において、前記リング部材には、前記導光体に対して抜け止め係止される係合部を設けてなることを特徴とするものである。
【００２３】
また請求項９では、請求項２または請求項３に記載の計器装置において、前記リング部材には、前記指針キャップの内面側にて前記フランジ部の上方へと延びる筒状の遮光壁部を一体に設けてなることを特徴とするものである。
【発明の効果】
【００２４】
本発明では、指針周辺部の表示板の浮き上がりを防止するリング部材を用いた計器装置において、リング部材に設けられたフランジ部の上端側外周角部に面取り部を施してなることを特徴とする計器装置であるため、指針に設けられた指針キャップの下端側外周面箇所（下端側外径エッジ部箇所）と隣接する箇所に位置したフランジ部の上端側外周面箇所に設けた面取り部によって、リング部材に設けられたフランジ部の上端側外周面に角部が存在しなくたるために位置ずれが目立たなくなるものであり、計器装置の見栄えが良好となり、これにより初期の目的を達成することができる。
【発明を実施するための最良の形態】
【００２５】
本発明の請求項１では、指針軸を有する計器本体と、前記指針軸の先端側に固着される回動中心領域となる指針本体とその指針本体を覆う指針キャップとを備える指針と、この指針の背後に所定距離を隔てて配置され前記指針に対応する部分に挿通孔部を有する表示板と、この表示板の背後に配置され前記表示板の挿通孔部の周縁部が載置される載置部と前記指針に対応する部分に指針軸側が貫通可能な貫通孔部とを有する計器ハウジングと、前記指針と前記表示板の間に位置して前記表示板の挿通孔部および前記計器ハウジングの貫通孔部に挿入され前記表示板の挿通孔部の周縁部にて係止されるフランジ部を有するリング部材とを備えた計器装置において、前記リング部材には前記計器ハウジングの貫通孔部に抜け止め係止される係合部と、前記リング部材に設けられたフランジ部の上端側外周角部に面取り部を施してなることを特徴とする計器装置であるため、リング部材によって表示板の浮き上がりを防ぎながらリング部材を計器ハウジング側に良好に保持しつつ、しかも指針に設けられた指針キャップの下端側外周面箇所（下端側外径エッジ部箇所）と隣接する箇所に位置したリング部材に設けられたフランジ部の上端側外周面箇所に設けた面取り部によって、フランジ部の上端側外周面に角部が存在しなくたるために位置ずれを目立たなくすることが可能となる。
【００２６】
本発明の請求項２では、指針軸を有する計器本体と、回動中心領域に光導入部を有する透光性の指針本体と前記回動中心領域を覆う指針キャップとを備える指針と、この指針の背後に所定距離を隔てて配置され前記指針に対応する部分に挿通孔部を有する表示板と、この表示板の背後に配置され前記表示板の挿通孔部を通じて前記指針の光導入部に照明光を供給することにより前記指針を光輝させる光源と、前記指針と前記表示板の間に位置して前記表示板の挿通孔部に挿入され挿通孔部の周縁部にて係止されるフランジ部を有する遮光性のリング部材とを備えた計器装置において、前記リング部材に設けられた前記フランジ部の外形寸法は前記指針キャップの外形寸法と同径寸法あるいは若干径大寸法に形成されるとともに、そのフランジ部の上端側外周角部に面取り部を施してなることを特徴とする計器装置であるため、リング部材によって表示板の浮き上がりを防ぎながらリング部材を遮光性材料により形成することにより、リング部材のフランジ部によって指針キャップと表示板との間から発生する光洩れを抑制することができるという効果がある。加えて、リング部材に設けられたフランジ部の上端側外周面箇所に設けた面取り部によって、フランジ部の上端側外周面に角部が存在しなくたるために位置ずれを目立たなくすることが可能となる。
【００２７】
本発明の請求項３では、指針軸を有する計器本体と、この計器本体が組み付けられる回路基板と、回動中心領域に光導入部を有する透光性の指針本体と前記回動中心領域を覆う指針キャップとを備える指針と、この指針の背後に所定距離を隔てて配置され前記指針に対応する部分に挿通孔部を有する表示板と、この表示板の背後に配置され前記表示板の挿通孔部を通じて前記指針の光導入部に照明光を供給することにより前記指針を光輝させる光源と、前記指針と前記表示板の間に位置して前記表示板の挿通孔部に挿入され挿通孔部の周縁部にて係止されるフランジ部を有する遮光性のリング部材とを備えた計器装置において、前記リング部材に設けられた前記フランジ部の外形寸法は前記指針キャップの外形寸法と同径寸法あるいは若干径大寸法に形成されるとともに、そのフランジ部の上端側外周角部に面取り部を施してなることを特徴とする計器装置であるため、指針キャップの下端側外周面箇所（外径箇所）と隣接する箇所に位置したリング部材の上端側外周面箇所に角部が存在しなくなるために位置ずれを目立たなくすることが可能となる。
【００２８】
また、請求項１から請求項３のいずれか１項に記載の計器装置において、前記面取り部は、傾斜面からなることにより、計器装置の前面側から指示計器を見た場合、指針キャップとリング部材との位置関係において、指針キャップの下端側外周面箇所（外径箇所）と隣接する箇所に位置したリング部材に設けられたフランジ部の上端側外周面箇所に傾斜面を施すことによって角部が存在しなくなるため、位置ずれを目立たなくすることが可能となる。（請求項４）
【００２９】
また、請求項１から請求項３のいずれか１項に記載の計器装置において、前記面取り部は、円弧状壁面からなることにより、計器装置の前面側から指示計器を見た場合、指針キャップとリング部材との位置関係において、指針キャップの下端側外周面箇所（外径箇所）と隣接する箇所に位置したリング部材に設けられたフランジ部の上端側外周面箇所に円弧状壁面を施すことによって角部が存在しなくなるため、位置ずれを目立たなくすることが可能となる。（請求項５）
【００３０】
また、請求項２または請求項３に記載の計器装置において、前記透光性の指針本体と前記光源との間に導光体を配設してなることにより、指針の照明効果を良好に保つことができる。（請求項６）
【００３１】
また、請求項２または請求項３に記載の計器装置において、前記透光性の指針本体と前記光源との間に導光体を配設するとともに、この導光体を前記回路基板に位置決め保持してなることにより、指針の照明効果を良好に保つことができるとともに、導光体を所定の組み付け位置に固定保持することができる。（請求項７）
【００３２】
また、請求項７に記載の計器装置において、前記リング部材には、前記導光体に対して抜け止め係止される係合部を設けてなることにより、回路基板を基準として計器本体および導光体が組み付け保持されるものであり、これにより指針側に設けられた指針キャップと導光体に抜け止め係止したリング部材とは同軸上に組み付けることが可能となり、これにより指針に設けられた指針キャップとリング部材との位置関係（同軸度）のバラツキを防ぎながら、しかもリング部材に設けられたフランジ部の上端側外周面に角部が存在しなくたるために位置ずれをも目立たなくすることが可能となる。（請求項８）
【００３３】
また、請求項２または請求項３に記載の計器装置において、前記リング部材には、前記指針キャップの内面側にて前記フランジ部の上方へと延びる筒状の遮光壁部を一体に設けてなることにより、フランジ部の表面上に設けた筒状の遮光壁部によって指針キャップと表示板との間から発生する光洩れをさらに抑制することができるという効果がある。（請求項９）
【００３４】
以下、添付図面に基づいて、本発明を車両用の計器計器に適用した実施例に基づいて説明する。なお、前述した従来例と同一あるいは均等箇所には同一符号を用いて説明する。
【実施例１】
【００３５】
本発明の第１実施例を、前述した図４と第１実施例からなる計器装置の断面図である図１とを用いて説明する。この種の計器装置としては、従来例とほぼ同様にして、計器本体１の指針軸２の先端側に固着され、指針軸２を中心に回転する指針３と、この指針３の背面側に位置し透過照明される目盛や数字や記号などからなる指標部４が施された表示板５と、この表示板５の背面側に位置する硬質の回路基板６と、この回路基板６上に設けられ、それぞれ指針３と表示板５とを照明する光源である発光ダイオード７，８と、指針３を照明するための発光ダイオード７と表示板５を透過照明するための発光ダイオード８との照明領域を区画する合成樹脂製の枠体からなる計器ハウジング９と、この計器ハウジング９に設けられた円筒形の仕切壁９Ａと、によってそれぞれ照明する区域に区画して構成している。なお、回路基板６の背後には前記指針軸２を回動する計器本体１が取付固定されている。
【００３６】
また、指針３周辺部の表示板５の浮き上がりを防止する目的として、フランジ部１０Ａを設けた筒状のリング部材１０が指針３に対応する部分に設けられた表示板５の挿通孔部５Ａを介して挿入され、計器ハウジング９側に係合保持されるように構成している。
【００３７】
この第１実施例では、筒状からなるリング部材１０には、フランジ部１０Ａの上端側外周角部に面取り部１０Ｂが施されている。ここでは、傾斜面からなる面取り部１０Ｂを形成している。また、筒状のリング部材１０の下端側には係合部となる弾性を有する係合爪１０Ｃが設けられ、計器ハウジング９側と係合保持されるように形成されている。
【００３８】
また、発光照明される指針３としては、従来例と同様にして指示部３Ａと指針軸２側に固定される回転中心領域となる指針本体３Ｂが透明な合成樹脂、例えばアクリル樹脂などによって一体に形成されており、指針本体３Ｂは遮光性の合成樹脂からなる指針キャップ１１で覆われている。
【００３９】
また、指針発光用としての発光ダイオード７は円筒形の仕切壁９Ａの内側に位置し、指針軸２の近傍に指針軸２を中心として円形状に取り巻いて複数設けられ、この発光ダイオード７の照射光線を指針３側へと導くように構成している。また、表示板５の指標部４を透過照明する発光ダイオード８は円筒形の仕切壁９Ａの外側を円形状に取り巻いて複数設けられ、この発光ダイオード８からの照射光線を表示板５の指標部４側へと導くようにハウジング９と一体に形成されたライトケース９Ｂを介して反射導光して照明するように構成されている。
【００４０】
また、計器ハウジング９に設けた筒状の仕切壁９Ａの上端側には、表示板５の挿通孔部５Ａの周縁部が載置される載置部９Ｃと指針本体３Ｂに対応する部分に指針軸２側が貫通可能な貫通孔部９Ｄとが形成され、前述した筒状のリング部材１０の下端側に設けられた弾性を有する係合爪１０Ｃが表示板５の挿通孔部５Ａおよび計器ハウジング９の貫通孔部９Ｄを介して挿入されて貫通孔部９Ｄの周縁部において抜け止め状態にて係合保持されるように形成されている。
【００４１】
上記構成からなる第１実施例における計器装置にあっては、表示板発光用としての発光ダイオード８から照射される光線は、ライトケース９Ｂの内面側にて光線が反射され、表示板５の指標部４へと案内され、指標部４の半透過性表示層４Ａが照射光線によって明るく透過照明される。
【００４２】
また指針発光用としての発光ダイオード７から照射される光線は、計器ハウジング９に設けた筒状の仕切壁９Ａの内部側にて導光案内され指針３に設けられた指針本体３Ｂへと入光し、指示部３Ａへと導かれて指針３の指示部３Ａが光輝する。
【００４３】
ところで、指針周辺部の表示板５の浮き上がりを防止するための筒状からなるリング部材１０には、計器ハウジング９の貫通孔部９Ｄに抜け止め係止される係合部である弾性を有する係合爪１０Ｃが貫通孔部９Ｄの周縁部に抜け止め状態にて係合保持される。従って、表示板５は計器ハウジング９の仕切壁９Ａの上端面部分に載置された状態にてリング部材１０のフランジ部１０Ａによって表示板５の表面側が押さえられるため、表示板５が仕切壁９Ａ位置から浮き上がることなく保持される。また、指針３に設けられた指針キャップ１１の下端側外周面箇所（下端側外径エッジ部箇所）と隣接する箇所に位置したリング部材１０に設けられたフランジ部１０Ａの上端側外周角部に施された傾斜面からなる面取り部１０Ｂによって、リング部材１０に設けられたフランジ部１０Ａの上端側外周面に角部が存在しなくたるため、結果として位置ずれを目立たなくすることが可能となる。
【００４４】
また、指針２の回転中心領域となる指針本体３Ｂ箇所は指針照明用としての光源である発光ダイオード７からの光量を受け入れやすくするために大きく形成することで照明輝度を高めることが考えられるが、実際指針本体３Ｂを径大に形成してしまうと指針キャップ１１の外形寸法も自ずと径大となってしまい、指針３の指示部３Ａ側の長さも短くなってしまって指針全体のバランスも悪く、視認性の点においても、意匠的な観点からも良好とはいえない状態となるため、一般的に指針本体３Ｂを径小に形成するようにしている。このため、指針キャップ１１の外形寸法に対しリング部材１０に設けられたフランジ部１０Ａの外形寸法とがほぼ等しいか、あるいはフランジ部１０Ａの外形寸法が若干径大な寸法に設定されていることが一般的に行われている。しかしながら、リング部材１０に設けられたフランジ部１０Ａの外形寸法が指針キャップ１１の外形寸法と同径寸法あるいは若干径大寸法に形成されていたために指針キャップ１１の下端側外周面箇所（外径箇所）と隣接する箇所に位置したリング部材１０の上端側外周面角部（エッジ部）とのズレが目立ってしまうという問題があったが、そのフランジ部１０Ａの上端側外周角部に面取り部１０Ｂを施してなることにより、目だってしまいやすいリング部材１０設けられたフランジ部１０Ｂの上端側外周面に角部が存在しなくなるため従来の不具合点が改善され位置ずれを目立たなくすることが可能となり、計器装置の見栄えを良好に保つことができる。
【００４５】
また、リング部材１０によって表示板５の浮き上がりを防ぐことができるとともに、リング部材１０を遮光性材料、例えば黒色の合成樹脂材料により形成することにより、リング部材１０のフランジ部１０Ａによって指針キャップ１１と表示板５との間から発生する光洩れを抑制することができるという効果がある。この場合、指針キャップ１１もリング部材１０と同一色に形成することが望ましい。
【実施例２】
【００４６】
図２および図３は本発明の第２実施例を示すもので、前述して第１実施例と同一部分、均等箇所については同一符号を付して説明する。
【００４７】
同図において、第１実施例と同様にして計器本体１の指針軸２の先端側に固着され、指針軸２を中心に回転する指針３と、この指針３の背面側に位置し透過照明される目盛や数字や記号などからなる指標部４が施された表示板５と、この表示板５の背面側に位置するガラスエポキシ樹脂からなる硬質の回路基板６と、この回路基板６上に設けられ、それぞれ指針３と表示板５を照明する光源である発光ダイオード７，８と、それぞれの計器本体１や表示機器などを区画するとともに、指針３を照明するための発光ダイオード７と表示板５側を照明するための照明領域を区画する合成樹脂製の枠体からなる計器ハウジング９と、この計器ハウジング９に設けられた円筒形（筒状）の仕切壁９Ａと、によってそれぞれ照明する区域に区画して構成している。
【００４８】
この際、指針発光用としての発光ダイオード７は円筒形の仕切壁９Ａの内側に位置し、指針軸２の近傍に指針軸２を中心として同心円状に取り巻いて複数設けられ、この発光ダイオード７の照射光線を透光性の材料からなる指針３の指針本体３Ｂ側へと導くための導光体２０が前記円筒形の仕切壁９Ａの内側に配設されている。また、表示板５の指標部４を透過照明する発光ダイオード８は円筒形の仕切壁９Ａの外側に位置して指針軸２を中心として円形状に取り巻いて複数設けられ、この発光ダイオード８からの照射光線を表示板５の指標部４側へと導くための導光体２１が配設され、この導光体２１によって表示板５の裏面側へと照射光線を導き、表示板５の指標部４を透過照明するように構成している。また前記導光体２１は前記枠体からなる計器ハウジング９と一体に形成されたライトケース９Ｂに支持されている。また前記指針照明用の導光体２０は回路基板６上に導光体２０に設けた位置決めピン２０Ａを介して位置決め保持されている。
【００４９】
また、計器ハウジング９に設けた筒状の仕切壁９Ａの上端側には、表示板５の挿通孔部５Ａの周縁部が載置される載置部９Ｃが形成されている。
【００５０】
また、発光照明される指針３としては、従来例および第１実施例と同様にして指示部３Ａと指針軸２側に固定される回転中心領域となる指針本体３Ｂが透明な合成樹脂、例えばアクリル樹脂などによって一体に形成されており、指針本体３Ｂは遮光性の合成樹脂からなる指針キャップ１１で覆われている。
【００５１】
この第２実施例では、筒状からなるリング部材１０には、フランジ部１０Ａの上端側外周角部に面取り部１０Ｄが施されている。ここでは、円弧状壁面からなる面取り部１０Ｄを形成している。また、筒状のリング部材１０の下端側には弾性を有する係合片１０Ｅが設けられ、計器ハウジング９の仕切壁９Ａの内部側に配設された導光体２０と係合保持されるように形成されている。この実施例においては導光体２０の外面側に抜け止め用の係止爪２０Ｂが設けられ、リング部材１０に設けられた係合片１０Ｅと係合保持するように構成している。また、リング部材１０には、指針キャップ１１の側周面である内面側にてフランジ部１０Ａの上方へと延びる筒状の遮光壁部１０Ｆが一体に設けられている。
【００５２】
上記構成からなる第２実施例における計器装置にあっては、表示板発光用としての発光ダイオード８から照射される光線は、導光体２１を介してライトケース９Ｂへと光線が射出され、射出された光線は、ライトケース９Ｂの内面側に設けられた湾曲部分にて反射され、表示板５の指標部４へと案内され、指標部４の半透過性表示層４Ａが照射光線によって明るく透過照明されるものであり、また指針発光用としての発光ダイオード７から照射される光線は、導光体２０を介して指針３に設けられた指針本体３Ｂへと導光案内され、指針本体３Ｂから発光指針３の指示部３Ａへと導光して光輝させることができる。
【００５３】
また、指針３に設けられた指針キャップ１１の下端側外周面箇所（下端側外径エッジ部箇所）と隣接する箇所に位置したリング部材１０に設けられたフランジ部１０Ａの上端側外周角部に施された円弧状壁面からなる面取り部１０Ｄによって、リング部材１０に設けられたフランジ部１０Ａの上端側外周面に角部が存在しなくたるため、結果として位置ずれを目立たなくすることが可能となり、計器装置の見栄えを良好に保つことができる。
【００５４】
また、表示板５は計器ハウジング９の仕切壁９Ａの上端面部分に載置された状態にてリング部材１０のフランジ部１０Ａによって表示板５の表面側が押さえられるため、表示板５が仕切壁９Ａ位置から浮き上がることなく保持される。すなわち、フランジ部１０Ａを設けた筒状からなるリング部材１０が指針３に対応する部分に設けられた表示板５の挿通孔部５Ａを介して挿入され、筒状のリング部材１０の下端側に設けられた係合片１０Ｅが導光体２０の外面側に設けられた抜け止め用の係止爪２０Ｂと係合保持されるため、表示板５は計器ハウジング９の仕切壁９Ａの上端面部分に載置された状態にてリング部材１０のフランジ部１０Ａによって表示板５の表面側が押さえられ、これにより表示板５が仕切壁９Ａ位置から浮き上がることなく保持される。
【００５５】
また、リング部材１０には、指針の回動中心領域を覆う指針キャップ１１の側周面である内面側にてフランジ部１０Ａの上方へと延びる筒状の遮光壁部１０Ｆが一体に設けられているため、筒状の遮光壁部１０Ｆと指針キャップ１１の側周面とによって迷路状となるために、指針３と表示板５との間からの光洩れを抑制することができる。
【００５６】
また、透光性の指針本体３Ｂと光源７との間に配設された導光体２０は、導光体２０に設けた位置決めピン２０Ａを介して回路基板６に位置決め保持してなることにより、導光体を所定の組み付け位置に固定保持することができる。この際、回路基板６を基準として計器本体１および前記導光体２０とをそれぞれ所定の位置に組み付け保持することにより、指針３側に設けられた指針キャップ１１と導光体２０に抜け止め係止したリング部材１０とを同軸上に組み付けることが可能となり、これにより指針３に設けられた指針キャップ１１とリング部材１０との位置関係（同軸度）のバラツキを防ぎながら、しかもリング部材１０に設けられたフランジ部１０Ａの上端側外周面に角部が存在しなくたるために位置ずれをも目立たなくすることが可能となる。
【００５７】
なお本発明は、前述した実施例に限定されるものではなく本発明の要旨の範囲内において種々の変形実施が可能である。たとえば、実施例においては、発光指針タイプの計器装置を例にして説明していたが、発光指針に限らずリング部材によって表示板の浮き上がりを押さえる構造を主体にした計器装置の構造であっても良いものであり、またリング部材に設けられたフランジ部の上端側外周角部に施される面取り部として、実施例では傾斜面や円弧状壁面などの形状にて説明していたが円弧面と傾斜面との組み合わせや凹面形状からなる円弧面であっても良い。また、指針キャップ１１の外形寸法に対してリング部材１０に設けられたフランジ部１０Ａの外形寸法は、計器装置の前面側から指示計器を視認しようとしたときに指針キャップ１１の外形寸法からフランジ部１０Ａの上端側外周角部が見える程度であればフランジ部１０Ａの外形寸法が指針キャップ１１の外形寸法より幾分小さめに設定されていたとしても同径寸法の範疇に入るものであり、この幾分小さめに設定されたフランジ部１０Ａの上端側外周角部に面取り部を施すことにより計器装置の前面側から覗き込んだとしても面取り部によってリング部材１０に設けられたフランジ部１０Ａの上端側外周面に角部が存在しなくたるために位置ずれが目立たなくなるものである。また、指針発光用の導光体２０と表示板照明用としての導光体２１を分離して設けていたが、例えば連結部を介して一体的に形成し、回路基板６上に位置決め保持するようにしても良いものである。また、光源である発光ダイオードの照明色について指定はしなかったが、発光指針の色合いや指標部の内容に合わせて適宜照明色を青、緑、青、白など適宜設定して透過照明するようにしても良いものであり、また光源である発光ダイオード自体を３原色の発光が可能な光源を用いることによって照明色を切り換えることも可能であり、また光源の色合いを白色とし、たとえば表示板の裏面にカラーフィルタやカラー印刷により照明色を設定するようにしても良いものである。
【産業上の利用可能性】
【００５８】
また、前述した実施例などにおいて詳述したように、自動車などの車両用の計器装置を例にして説明したが、車両用計器に限らず船舶用計器あるいは農業用機械や建設機械などの特殊車輌の計器装置などにおいても適用することが可能である。
【図面の簡単な説明】
【００５９】
【図１】図１は、本発明の第１実施例における計器装置を示す断面図およびリング部材の組み付け状態の要部を示す拡大断面図。
【図２】図２は、本発明の第２実施例を示す計器装置の断面図
【図３】図３は、図２のリング部材の組み付け状態である要部を示す拡大断面図。
【図４】図６は、従来および本発明に適用される計器装置を示す正面図。
【図５】図８は、従来の計器装置を示す断面図およびリング部材の組み付け状態の要部を示す拡大断面図。
【符号の説明】
【００６０】
１      計器本体
２      指針軸
３      指針
３Ａ    指示部
３Ｂ    指針本体
４      指標部（目盛，数値）
５      表示板
５Ａ    挿通孔部
６      回路基板
７      発光ダイオード（指針発光用の光源）
８      発光ダイオード（表示板発光用の光源）
９      計器ハウジング
９Ａ    仕切壁
９Ｂ    ライトケース
９Ｃ    載置部
９Ｄ    貫通孔部                                    
１０      リング部材
１０Ａ    フランジ部
１０Ｂ    面取り部
１０Ｃ    係合爪（係合部）
１０Ｄ    面取り部
１０Ｅ    係合片
１０Ｆ    遮光壁部
１１      指針キャップ
２０      導光体
２０Ａ    位置決めピン
２０Ｂ    係止爪
２１      導光体
【図１】
2007271461.tif 000003
【図２】
2007271461.tif 000004
【図３】
2007271461.tif 000005
【図４】
2007271461.tif 000006
【図５】
2007271461.tif 000007